(57)【要約】【課題】１つの駆動源で複数の装飾体を同時に作動させることができる遊技機の装飾装置を提供する。【解決手段】パチンコ機の装飾装置１１は、線状をなし非直線状の引き回し形態を維持しつつ、芯回り方向に回動が可能な伝達部材１５と、この伝達部材１５を前記芯回り方向に回動駆動する駆動源例えばモータ１４と、モータ１４の回動によって、伝達部材１５を介して同時に回動する複数の装飾体１６とを有した構成である。【選択図】図１
2007307119.tif 000002
【特許請求の範囲】
【請求項１】
遊技盤において複数の装飾体を作動させるようにした遊技機の装飾装置であって、
線状をなし非直線状の引き回し形態において当該形態を維持しつつ芯回り方向に回動が可能な伝達部材と、
この伝達部材を前記芯回り方向に回動駆動する駆動源とを備え、
前記伝達部材により前記複数の装飾体を作動させる構成としたことを特徴とする遊技機の装飾装置。
【請求項２】
伝達部材は、可撓性を有する芯材と、この芯材を外装したコイル部材とから構成したことを特徴とする請求項１記載の遊技機の装飾装置。
【請求項３】
駆動源は、モータであることを特徴とする請求項１又は２記載の遊技機の装飾装置。
【発明の詳細な説明】
【技術分野】
【０００１】
本発明は、複数の装飾体を同時に表示させる遊技機の装飾装置に関する。
【背景技術】
【０００２】
パチンコ機などの遊技機では、遊技玉が入賞口に入賞した時などに遊技盤のステージ周辺で、図形を付した装飾体が複数現れたり、回転したりし、遊技性を高めるようにしている。この装飾体を作動させるための駆動源としては、モータやソレノイドが用いられていることは周知である（例えば特許文献１，２参照）。
また、基本的には駆動源１つにつき装飾体１つを作動する構成が用いられるが、歯車などを用いることにより、複数の装飾体を同時に作動させることもある。
【特許文献１】特願２００６−８１６８２号公報
【特許文献２】特開平８−２０６３０１号公報
【発明の開示】
【発明が解決しようとする課題】
【０００３】
しかしながら、上記の従来機構では、装飾体ごとに駆動源を必要とし、部品数が多く、コストが高くなると共に、配置スペースも大きくなり、多数の装飾体及び駆動源を設けることは困難であった。特に、近年の遊技機では大型の液晶表示装置を備えることが多くなり、従って、この大型化した液晶表示装置を遊技盤に配設した場合には、上記装飾体を駆動させるための駆動源の設置スペースは、極力小さくしたいというのが実情である。
【０００４】
また、歯車を用いて複数の装飾体を作動させる方法では、歯車構造が複雑で且つ大型化し、また歯車の部品数が増加する問題もあった。
本発明は、上記した事情に鑑みてなされたものであり、その目的は、簡単な構成で複数の装飾体を操作させることができ、しかも駆動源の使用数を減らすことができる遊技機の装飾装置を提供することにある。
【課題を解決するための手段】
【０００５】
本発明の遊技機の装飾装置は、遊技盤において複数の装飾体を作動させるようにした遊技機の装飾装置であって、線状をなし非直線状の引き回し形態において当該形態を維持しつつ芯回り方向に回動が可能な伝達部材と、この伝達部材を前記芯回り方向に回動駆動する駆動源とを備え、前記伝達部材により前記複数の装飾体を作動させる構成としたことを特徴としている。
【発明の効果】
【０００６】
本発明の遊技機の装飾装置では、１つの駆動源で複数の装飾体を同時に作動させることができ、省スペースが可能で構成も簡単となる。
【発明を実施するための最良の形態】
【０００７】
以下、本発明の一実施形態を、図面を参照しながら説明する。
図２は、パチンコ機１（遊技機に相当）の遊技盤２部分を示しており、パチンコ機１の遊技盤２には作動口３及び大入賞口４が設けられており、遊技盤２は遊技領域を構成している。また、遊技盤２のほぼ中央には略円形状の表示用の窓２ａが形成さている。表示用の窓２ａの下方には前記作動口３が設けられ、作動口３の両側には羽根５が開閉可能に支持されている。大入賞口４の前にはシャッタ６が設けられている。このシャッタ６は図示しないソレノイドにより作動させられて大入賞口４を開閉する。
【０００８】
遊技盤２の裏側（図３中では下側）には、装飾装置１１と、表示装置１２（例えば液晶表示装置）が設けられている。
装飾装置１１は、プレート１３と、モータ１４と、伝達部材１５と、装飾体１６とを有した構成であり、装飾装置１１の外観を図１に示す。
【０００９】
前記プレート１３は、略四角形の板状であり、図３に示すように、遊技盤２の裏側に設けられた取付脚１７を介して遊技盤２の裏面側に取り付けられている。プレート１３の中央には、表示装置１２と嵌合可能な孔１３ａが形成されている。
前記モータ１４は、プレート１３面上に設けられた支持台１３ｂによって支持されている（図１参照）。モータ１４の回転は図示しない歯車を介して出力軸から出力されるようになっている。
【００１０】
前記伝達部材１５は、線状をなし非直線状の引き回し形態において当該形態を維持しつつ芯回り方向に回動が可能な部材から構成されており、この実施形態においては、図４に示すように、可撓性を有する金属の芯材１５ａ（例えばピアノ線）と、芯材１５ａの外装に巻回されたコイル部材１５ｂとから構成されている。伝達部材１５の一端部は、前記モータ１４の出力軸と連結され、この伝達部材１５の一端部から他端部にかけて、孔１３ａの周縁を囲うように撓ませて配置され（図１,２参照）、プレート１３面上の６個の支持台１３ｃと、伝達部材１５の他端を支持する支持台１３ｄとによって、回動可能に支持されている。
【００１１】
前記伝達部材１５は、前記モータ１４によって回動される。この伝達部材１５の回動方向は図５中の矢印Ａ方向（時計回りの方向）及び図６中の矢印Ｂ方向（反時計周りの方向）であり、その回動範囲は略９０度であり、回動の制御は図示しないモータ制御手段によって行われる。
【００１２】
前記装飾体１６は６個あり、各装飾体１６は、接続アーム１６ａと、表示面１６ｂを有する表示部１６ｃで構成されている。各接続アーム１６ａは、伝達部材１５における前記各支持台１３ｃ部分でねじ１６ｄにより固定されている。各表示部１６ｃは、ねじ１６ｅによって接続アーム１６ａにそれぞれ取り付けられている。表示面１６ｂは、表示部１６ｃの表側の面（遊技者に見える面）であり、図３中の上面である。この表示面１６ｂには、例えば図２で示すような星マークなどの図柄が付してある。
【００１３】
各接続アーム１６ａは、伝達部材１５の回動と共に回動可能となっている。この時、接続アーム１６ａの回動範囲が、図５に示すようにプレート１３（図５中では支持台１３ｃの底面）に対して垂直の状態から、図６に示すようにプレート１３（図６中では支持台１３ｃの底面）に対して平行の状態までの略９０度の範囲になるように、接続アーム１６ａは伝達部材１５に取り付けられている。
【００１４】
プレート１３の孔１３ａには表示装置１２が嵌め込まれている。表示装置１２は、図示しない遊技玉の作動口３への入賞に基づいて図柄の変動が開始する。この場合、図柄が大当たり図柄となると、大入賞口４が開放し、大当たりの状態となり、より多くの賞球を獲得することが可能となる。
【００１５】
次に、上記のパチンコ機１の装飾装置１１の作用について説明する。
入賞の状態でない初期状態では、図５，７に示すように、表示部１６ｃは、遊技盤２及びプレート１３に対して垂直の状態になり、遊技者からは表示面１６ｂは見えない状態となっている。
そして、遊技玉が作動口３へ入り、入賞の状態になると、表示装置１２の図柄は変動し始める。そして、表示装置１２の図柄の変動と共に、図示しないモータ制御手段によってモータ１４も駆動し始める。
【００１６】
これによりモータ１４の出力軸が回動し始め、伝達部材１５も回動し始める。この伝達部材１５の回動方向は、図５中の矢印Ａ方向である。そして、伝達部材１５が矢印Ａ方向へ回動することによって、伝達部材１５に固定されている６個の装飾体１６も、矢印Ａ方向へ回動する。
モータ１４が矢印Ａ方向へ略９０度回動し、装飾体１６の表示部１６ｃが遊技盤２と平行になり、遊技者から表示面１６ｂが見える状態（図２参照）となると、図示しないモータ制御手段によってモータ１４は停止する。
【００１７】
そして、一定時間の経過後、或いは入賞状態が解除されると、モータ１４の出力軸は、図６中の矢印Ｂ方向へ回動し始める。これによって、伝達部材１５及び装飾体１６も矢印Ｂ方向へ回動する。そして、装飾体１６が矢印Ｂ方向へ略９０度回動し、初期状態の位置に戻ったところで、モータ１４が図示しないモータ制御手段によって停止する。この時、再度、遊技者からは表示面１６ｂが見えない状態（図７参照）となる。
【００１８】
上記実施形態においては、次のような効果を得ることができる。
伝達部材１５に６個の装飾体１６を取り付けた状態で、１つのモータ１４を回動駆動させると、伝達部材１５も回動し、６個の装飾体１６の表示部１６ｃも回動する。伝達部材１５が略９０度回動することによって、表示部１６ｃは遊技盤２と平行となり、１つのモータ１４で６個の表示面１６ｂを同時に遊技者に表示させることができる。
【００１９】
従来は装飾体１６に対応する数のモータ１４を必要としたが、上記実施形態では、１個のモータ１４で６個の表示面１６ｂを表示できるため、従来よりもモータ１４の設置に必要なスペースを減らすことができる。
伝達部材１５は可撓性を有する芯材１５ａと、芯材１５ａの外装に巻回されたコイル部材１５ｂで構成されているので、可撓性（変形性及び復元性）に優れており、引き回し形態の自由度も高い。
【００２０】
尚、本発明は上記した実施形態に限定されるものではなく、次のように変形又は拡張できる。上記実施形態では６個の装飾体１６及び支持台１３ｃを用いたが、少なくとも２つ以上で良い。駆動源としてモータ１４を用いたが、モータ１４の代わりにソレノイドを用いても良い。この場合、ソレノイドの直線運動を円運動（回動運動）に変換する機構を設けると良い。
表示部１６ｃの回動範囲は略９０度としたが、表示しないときに、遊技者から表示部１６ｃが見えず、表示の際には遊技者から表示面１６ｂが見えれば、表示部１６ｃの回動範囲は任意で良い。
【００２１】
上記実施形態では、伝達部材１５の断面方向から見た場合、表示部１６ｃの伝達部材１５への取り付ける角度はすべて同じにし、すべての表示面１６ｂを同時に表示させたり、表示させなかったりするようにしたが、各表示部１６ｃの伝達部材１５への取り付け角度を変え、伝達部材１５の回動角度を制御するによって、一又は複数の表示面１６ｂを表示させ、残りの表示面１６ｂはまだ表示されないようにしても良い。
【００２２】
表示切替を２段階以上にしても良い。つまり、今回は１つの支持台１３ｃに対して表示部１６ｃを１つずつ設け、図柄の表示をする場合としない場合の１段階の表示切替であったが、１つの支持台１３ｃに対して２個又はそれ以上の表示部１６ｃを設け、回動範囲を略９０度、さらに略９０度又はそれ以上に回動するようにし、複数の表示切替が可能な構造としても良い。
【図面の簡単な説明】
【００２３】
【図１】本発明の遊技機の装飾装置の斜視図
【図２】遊技機の装飾装置が作動時の正面図
【図３】図２のＡ−Ａ線に沿う断面図
【図４】伝達部材の断面図
【図５】装飾体が作動していない時の側面図
【図６】装飾体が作動している時の側面図
【図７】遊技機の装飾装置が作動していない時の正面図
【符号の説明】
【００２４】
図面中、１はパチンコ機（遊技機）、２は遊技盤、１１は装飾装置、１４はモータ（駆動源）、１５は伝達部材、１５ａは芯材、１５ｂはコイル部材、１６は装飾体を示す。
【図１】
2007307119.tif 000003
【図２】
2007307119.tif 000004
【図３】
2007307119.tif 000005
【図４】
2007307119.tif 000006
【図５】
2007307119.tif 000007
【図６】
2007307119.tif 000008
【図７】
2007307119.tif 000009